【手続補正書】
【提出日】平成16年6月1日(2004.6.1)
【手続補正１】
【補正対象書類名】明細書
【補正対象項目名】全文
【補正方法】変更
【補正の内容】
【書類名】      明細書
【発明の名称】  角質研削美容器
【特許請求の範囲】
【請求項１】  本体と、この本体内に設けられる真空ポンプと、この真空ポンプに接続される第一の吸引管と、この第一の吸引管に接続される回収容器と、この回収容器に接続される第二の吸引管と、この第二の吸引管に接続される研削部と、この研削部に接続される第三の吸引管と、この第三の吸引管に接続される粉体供給容器とを有する角質研削美容器において、前記回収容器と粉体供給容器とで粉体カートリッジを一体的に形成し、この粉体カートリッジを前記本体に対して着脱自在に構成すると共に、前記第二及び第三の吸引管を粉体カートリッジに直接接続したことを特徴とする角質研削美容器。
【請求項２】  前記粉体供給容器の側面に注入孔を形成し、この注入孔を塞ぐ栓体を設けると共に、前記注入孔が形成された粉体供給容器の側面が前記回収容器と対向するようにして粉体供給容器と回収容器を一体化したことを特徴とする請求項１記載の角質研削美容器。
【請求項３】  前記栓体が、前記回収容器によって粉体供給容器側に押し付けられていることを特徴とする請求項２記載の角質研削美容器。
【請求項４】  前記粉体供給容器の側面に空気孔を形成し、この空気孔を覆うフィルタを設けると共に、前記空気孔が形成された粉体供給容器の側面が前記回収容器と対向するようにして粉体供給容器と回収容器を一体化したことを特徴とする請求項１記載の角質研削美容器。
【請求項５】  前記フィルタが、前記回収容器によって粉体供給容器側に押し付けられていることを特徴とする請求項４記載の角質研削美容器。
【発明の詳細な説明】
【０００１】
【発明が属する技術分野】
本発明は、微細な粉体を人体の皮膚等に吹き付けることで、皮膚の老化した角質等を削り取る角質研削美容器に関するものである。
【０００２】
【発明が解決しようとする課題】
従来この種の角質研削美容器としては、例えば特許第２９６０７６２号公報等に記載されているものが知られている。これは、装置本体に真空排気系（真空ポンプ）を設け、この真空排気系に導管（第一の吸引管）を介して回収槽（回収容器）を接続し、この回収槽に導管（第二の吸引管）を介して開口部が形成されたプローブ本体（研削部）を接続し、このプローブ本体に導管（第三の吸引管）を介して貯槽（粉体供給容器）を接続したものである。そして、真空排気系を動作させた後、皮膚でプローブ本体の開口部を塞ぐようにしてプローブ本体を皮膚に当てると、貯槽から真空排気系に至る流路が形成され、貯槽に収容されている粉体が導管を経てプローブ本体に至り、このプローブ本体の開口部において粉体が皮膚に当たって皮膚表面の老化した角質等を削り取る。そして、皮膚の角質等を削り取った粉体及び削り取られた角質は、プローブ本体から導管を経て回収槽に至り、この回収槽で分離されて溜められる。更に、この回収槽で粉体及び角質が分離された気流は、導管を経て真空排気系から外部に排出される。
【０００３】
しかしながら、これらの角質研削美容器は、角質を削り取るための粉体を溜めておく貯槽と、使用済みの粉体及び削り取った角質等を回収して溜める回収槽が設けられている必要があるため、保守が大変であるばかりでなく、美容器全体が大型化してしまう虞があった。
【０００４】
本発明は以上の問題点を解決し、保守が容易で比較的小型に構成される角質研削美容器を提供することを目的とする。
【０００５】
【課題を解決するための手段】
本発明の請求項1記載の角質研削美容器は、本体と、この本体内に設けられる真空ポンプと、この真空ポンプに接続される第一の吸引管と、この第一の吸引管に接続される回収容器と、この回収容器に接続される第二の吸引管と、この第二の吸引管に接続される研削部と、この研削部に接続される第三の吸引管と、この第三の吸引管に接続される粉体供給容器とを有する角質研削美容器において、前記回収容器と粉体供給容器とで粉体カートリッジを一体的に形成し、この粉体カートリッジを前記本体に対して着脱自在に構成すると共に、前記第二及び第三の吸引管を粉体カートリッジに直接接続したものである。
【０００６】
上記構成により、粉体カートリッジを本体に取り付け、真空ポンプを駆動すると共に研削部を皮膚に当てることで、粉体カートリッジの粉体供給容器に収容されている粉体が第三の吸引管を経て研削部に至り、この研削部が当てられている皮膚に粉体が当たって皮膚表面の老化した角質等を削り取り、この角質等を削り取った粉体及び削り取られた角質が研削部から第二の吸引管を経て粉体カートリッジの回収容器に至り、この回収容器で分離されて溜められると共に、この回収容器で粉体及び角質が分離された気流が、第一の吸引管を経て真空ポンプから外部に排出される。
【０００７】
また、本発明の請求項２の角質研削美容器は、請求項１において、前記粉体供給容器の側面に注入孔を形成し、この注入孔を塞ぐ栓体を設けると共に、前記注入孔が形成された粉体供給容器の側面が前記回収容器と対向するようにして粉体供給容器と回収容器を一体化したものである。
【０００８】
上記構成により、栓体が粉体供給容器と回収容器で挟まれるので、誤って栓体に人或いは物が触れることがない。
【０００９】
また、本発明の請求項３の角質研削美容器は、請求項２において、前記栓体が、前記回収容器によって粉体供給容器側に押し付けられているものである。
【００１０】
上記構成により、栓体が回収容器で注入孔に押し付けられることによって、粉体供給容器の注入孔が確実に密閉される。
【００１１】
また、本発明の請求項４の角質研削美容器は、請求項１において、前記粉体供給容器の側面に空気孔を形成し、この空気孔を覆うフィルタを設けると共に、前記空気孔が形成された粉体供給容器の側面が前記回収容器と対向するようにして粉体供給容器と回収容器を一体化したものである。
【００１２】
上記構成により、フィルタが粉体供給容器と回収容器で挟まれるので、誤ってフィルタに人或いは物が触れることがない。
【００１３】
更に、本発明の請求項５の角質研削美容器は、請求項４において、前記フィルタが、前記回収容器によって粉体供給容器側に押し付けられているものである。
【００１４】
上記構成により、フィルタが回収容器で空気孔に押し付けられることによって、粉体供給容器の空気孔が確実に塞がれる。
【００１５】
【発明の実施形態】
以下、本発明の実施形態について、図１乃至図４に基づいて説明する。１は美容器本体である。この美容器本体１は、上筐体２と下筐体３とで構成されている。そして、前記上筐体２の前側には取付凹部４が形成されていると共に、上筐体２の上部には収容凹部５が形成されている。また、この収容凹部５には蓋体６が開閉自在に取り付けられていると共に、これら収容凹部５及び蓋体６によって形成される空間内に、後述する研削部39及び第二の吸引管37、第三の吸引管38が収容される。また、前記上筐体２の上部には、把持部７が起伏自在に取り付けられている。更に、前記上筐体２の上部には、操作スイッチ８が設けられている。前記下筐体３には堤部９が形成されており、この堤部９に囲まれるようにポンプ取付部10が形成されていると共に、このポンプ取付部10に真空ポンプ11が取り付けられている。そして、この真空ポンプ11の排気部は、排気管12によって前記堤部９の後部に形成された排気孔13に接続されていると共に、真空ポンプ11の吸気部は、第一の吸引管14によって接続部15に接続されている。この接続部15は、前記下筐体３の堤部９の前方に取り付けられている。また、前記堤部９には、真空ポンプ11の上方を覆うように取付板16が取り付けられていると共に、この取付板16に対して前記上筐体２をビス止めすることで、上筐体２と下筐体３とが結合される。そして、上筐体２と下筐体３を結合させた状態で、前記接続部15のシール部17が取付凹部４の底部に露出する。
【００１６】
前記取付凹部４には、粉体カートリッジ18が着脱自在に取り付けられる。この粉体カートリッジ18は、粉体供給容器19と回収容器20とを前後方向に重ねることで構成されている。前記粉体供給容器19は、前後に分割した前半体19ａ及び後半体19ｂから形成されており、この後半体19ｂの上部に、注入孔21及び粉体供給管22が形成されていると共に、前記後半体19ｂの下部に空気孔23が形成されている。そして、前記注入孔21は栓体24によって粉体供給容器19の外側から塞がれていると共に、前記空気孔23は多孔質のフィルタ25によって粉体供給容器19の外側から覆われている。また、前記粉体供給管22の粉体供給容器19内側には、略Ｕ字状に屈曲した容器内管26が取り付けられている。この容器内管26は、端部が開放していると共に、略最下端の屈曲部位に粉体取り入れ孔26ａが形成されている。更に、前記後半体19ｂの略最下端には段部19ｃが形成されており、粉体カートリッジ18を取付凹部４に取り付けた際に、この取付凹部４との間に隙間ａが形成される。そして、前記粉体供給容器19の内部には、図示しない粉体が収容されている。この粉体としては、直径５０〜１３０μｍ程度の炭酸水素ナトリウム（重曹）や酸化アルミニウム（アルミナ）等が用いられる。また、前記粉体供給容器19の後半体19ｂには、前記回収容器20と係合される爪部27が後方に突出して形成されている。なお、28は栓体24の内側に取り付けられた乾燥剤、29は前記栓体24と注入孔21をシールするＯリングである。
【００１７】
前記回収容器20は、前半体20ａ及び後半体20ｂから構成されていると共に、この後半体20ｂの底部に連通孔30が形成されている。この連通孔30は、前記粉体カートリッジ18を前記取付凹部４に取り付けた際に前記接続部15によって前記第一の吸引管14と連通すると共に、前記シール部17によって隙間がシールされる。また、前記後半体20ｂの上部には、管接続部31が形成されていると共に、縁部近傍に前記爪部27を受ける爪受部32が形成されている。そして、前記管接続部31と対向して、回収空間20ｃ内に前方が開放したフィルタ枠33が配されている。更に、このフィルタ枠33は、前記連通孔30から縦に立ち上がるように取り付けられた容器内管34の上端に接続されていると共に、フィルタ35が取り付けられている。なお、このフィルタ35は、前記フィルタ枠33を挟んで前記管接続部31の反対側に設けられている。また、前記回収容器20の上部には、前記粉体供給容器19の粉体供給管22が貫通する貫通孔36が形成されている。なお、この貫通孔36は、前記回収空間20ｃには連通していない。そして、粉体供給容器19と回収容器20とを結合させた状態で、前記粉体供給管22の先端が回収容器20の後部側面から突出する。
【００１８】
更に、前記管接続部31には、第二の吸引管37の基端が接続されていると共に、粉体供給管22の先端には第三の吸引管38の基端が接続されている。そして、これら第二及び第三の吸引管37，38の先端には、研削部39が接続されている。この研削部39は、前記第二及び第三の吸引管37，38が接続される接続管40と、この接続管40に取り付けられるＵ字管41と、前記接続管40を保持する保持部42と、前記Ｕ字管41を覆う肌当接部43で形成されている。そして、前記Ｕ字管41の屈曲部には開口部44が形成されていると共に、この開口部44が前記肌当接部43の開口部45内に配されている。そして、このようにして粉体カートリッジ18と第二及び第三の吸引管37，38と研削部39とが一つの交換ユニットとして構成される。
【００１９】
次に、本実施形態の粉体カートリッジ18の製造工程について説明する。まず、予め粉体供給容器19及び回収容器20を組み立てておく。即ち、粉体供給容器19は、後半体19ｂに形成された粉体供給管22の粉体供給容器19内側に容器内管26を取り付けた後、後半体19ｂに前半体19ａをビス等で固定することで構成される。また、回収容器20は、後半体20ｂに形成された連通孔30に容器内管34の一端を取り付け、この容器内管34の他端にフィルタ枠33を取り付け、更にこのフィルタ枠33にフィルタ35を取り付けた後、後半体20ｂに前半体20ａをビス等で固定することで構成される。なお、前半体20ａと後半体20ｂをビス等で固定することで、フィルタ枠33がこれら前半体20ａと後半体20ｂの間で挟持される。そして、注入孔21から前記粉体供給容器19内に図示しない粉体を注入した後、前記注入孔21を栓体24によって閉じる。このとき、栓体24の内側に乾燥剤28を保持させておくことで、粉体供給容器19内の粉体が湿気てしまう虞が低減される。また、Ｏリング29によって注入孔21と栓体24の隙間がシールされる。そして、前記空気孔23にフィルタ25を当接させた後、爪部27と爪受部32を係合させることによって、粉体供給容器19と回収容器20とを結合させる。このとき、前記粉体供給容器後半部19ｂと回収容器前半部20ａが近接すると共に、前記栓体24及びフィルタ25が回収容器前半部20ａと当接するため、前記栓体24の脱落が回収容器前半体20ａによって阻止されると共に、前記フィルタ25が粉体供給容器後半体19ｂと回収容器前半体20ａとの間で挟持される。更に、このとき前記粉体供給管22の粉体供給容器19外側部分は、前記回収容器20の貫通孔36を貫通して回収容器20後部へ突出する。そして、研削部39に接続された第三の吸引管38を前記粉体供給管22に接続すると共に、研削部39に接続された第二の吸引管37を前記管接続部31に接続する。なお、前記研削部39の組立については省略する。
【００２０】
次に、本発明の作用について説明する。美容器本体１に設けられた操作スイッチ８によって真空ポンプ11を動作させることにより、回収容器20の内の空気が吸引されるが、研削部39の肌当接部43を皮膚に当てていない状態では、肌当接部43の開口部45が開放状態であるから、開口部45から外気が吸引され、この吸引した空気を単に排気管12から外部に排気しているに過ぎない。
【００２１】
そして、開口部45を塞ぐように研削部39の肌当接部43を皮膚に当てることによって、粉体供給容器19から第三の吸引管38、研削部39、第二の吸引管37、回収容器20、第一の吸引管14、真空ポンプ11を経て排気管12に至る流路が形成される。これにより、研削部39に接続された第三の吸引管38、粉体供給管22及び容器内管26を経由して、粉体供給容器19内の空気が吸引される。この際、粉体供給容器19内の空気は容器内管26の端部から吸引されるが、この容器内管26の最下端部の屈曲部位に近接して空気孔23が後半体19ｂの下方に形成されていると共に、段部19ｃが後半体19ｂの下端に形成されていることで、容器内管26から吸引された空気を補うように、取付凹部４に粉体カートリジ18をセットすることで取付凹部４と段部19ｃとの間に形成される隙間ａからフィルタ35、空気孔23を経て、粉体供給容器19の内部に空気が流入する。この気流に乗って、粉体供給容器19内で粉体が舞い上がる結果、容器内管26の屈曲部位周辺において粉体の密度が小さくなる。なお、舞い上がった粉体は容器内管26の端部まで舞い上がることがないため、粉体が容器内管26の端部から吸引されることはない。一方、容器内管26の屈曲部位周辺の粉体の密度が小さくなることによって、単位時間当たり略一定量の粉体が粉体取り入れ孔26ａから容器内管26に吸引される。即ち、粉体が舞い上がっていない場合では、粉体取り入れ孔26ａから殆ど空気が容器内管26に流入せず、粉体取り入れ孔26ａ周囲の狭い範囲の流動しにくい状態の粉体しか吸引されないため、粉体の吸引量は少なく且つ一定しないが、粉体取り入れ孔26ａの粉体密度が低下することで、粉体取り入れ孔26ａから容器内管26内に流入する空気の量が増大するばかりでなく、広い範囲で流動しやすい状態の粉体が粉体取り入れ孔26ａから吸引されることになるため、粉体の吸引量が比較的多く且つ一定することになる。
【００２２】
このようにして、容器内管26に吸引された粉体が第三の吸引管38から研削部39に至り、この研削部39の開口部45において粉体が皮膚に当たって皮膚表面の老化した角質等を削り取る。そして、皮膚の角質等を削り取った粉体及び削り取られた角質は、研削部39から、第二の吸引管37を通って回収容器20に至る。この時、老化した皮膚の角質を含む粉体は、管接続部31から回収容器20に入った際にフィルタ枠33に衝突して回収空間20ｃの下方に落下する。そして、フィルタ枠33に衝突した後にフィルタ35に流れる気流に乗った少量の粉体及び角質は、フィルタ35で捕捉されて回収容器20に溜められる。更に、この回収容器20で粉体及び角質が分離された気流は、容器内管34、第一の吸引管14、真空ポンプ11を経て排気管12から外部に排出される。そして、粉体供給容器19内に収納した粉体が無くなった段階で、粉体カートリッジ18を第二、第三の吸引管37，38及び研削部39ごと美容器本体１から取り外し、新たな粉体カートリッジ18を美容器本体１にセットする。
【００２３】
以上のように本発明は、研削部39の肌当節部43を皮膚に当てることで、粉体カートリッジ18の粉体供給容器19に収容されている粉体が第三の吸引管38を経て研削部39に至り、この研削部39が当てられている皮膚に粉体が当たることで皮膚表面の老化した角質等が削り取られ、これによって、皮膚の美容処理を行うことができる。そして、角質等を削り取った粉体及び削り取られた角質は研削部39から第二の吸引管37を経て粉体カートリッジ18の回収容器20に至り、この回収容器20で気流から分離して溜めることができるので、衛生的であるとともに、取り扱いにも便利である。また、粉体供給容器19と回収容器20とを一体化して粉体カートリッジ18を構成し、この粉体カートリッジ18を美容器本体１に対して着脱自在に構成しているから、粉体供給容器19内に収納した粉体が無くなった段階で粉体カートリッジ18を簡単に交換することができ、粉体供給容器19内に粉体を補充したり、回収容器20に溜まった粉体と角質等を廃棄するといった面倒な手間も不要であるから保守が容易であるとともに、粉体カートリッジ18をコンパクトに小型化できる。これにより、美容器本体１全体を比較的小型にすることができる。
【００２４】
また、粉体の注入孔21が形成された粉体供給容器19の側面が回収容器20と対向するようにして粉体供給容器19と回収容器20を一体化することにより、注入孔21を塞ぐ栓体24が粉体供給容器19と回収容器20で挟まれるので、誤って栓体24に人或いは物が触れることがない。しかも、栓体24が、回収容器20によって粉体供給容器19側に押し付けられているから、粉体供給容器19の注入孔21が確実に密閉され、注入孔21から栓体24が不意に外れて粉体がこぼれてしまうことを確実に防止することができる。
【００２５】
さらに、粉体供給容器19の側面に空気孔23を形成し、この空気孔23を覆うフィルタ25を設けると共に、空気孔23が形成された粉体供給容器19の側面が回収容器20と対向するようにして粉体供給容器19と回収容器20を一体化したものであるから、フィルタ25が粉体供給容器19と回収容器20で挟まれるので、誤ってフィルタ25に人或いは物が触れることがない。しかも、そのフィルタ25が、前記回収容器20によって粉体供給容器19側に押し付けられているから、粉体供給容器19の空気孔23が確実に塞がれるので、空気孔23から外部に粉体がこぼれる心配もない。
【００２６】
なお、本発明は以上の実施形態に限定されるものではなく、発明の要旨の範囲内で種々の変形が可能である。例えば、上記実施形態では、粉体供給容器が前方で、回収容器が後方となるように粉体カートリッジが構成されているが、これ以外の位置関係に構成されても良い。また、第二及び第三の吸引管を接続する位置も、適宜設定できる。
【００２７】
【発明の効果】
本発明の請求項１の角質研削美容器によれば、本体と、この本体内に設けられる真空ポンプと、この真空ポンプに接続される第一の吸引管と、この第一の吸引管に接続される回収容器と、この回収容器に接続される第二の吸引管と、この第二の吸引管に接続される研削部と、この研削部に接続される第三の吸引管と、この第三の吸引管に接続される粉体供給容器とを有する角質研削美容器において、前記回収容器と粉体供給容器とで粉体カートリッジを一体的に形成し、この粉体カートリッジを前記本体に対して着脱自在に構成すると共に、前記第二及び第三の吸引管を粉体カートリッジに直接接続したものであり、粉体カートリッジを本体に取り付け、真空ポンプを駆動すると共に研削部を皮膚に当てることで、粉体カートリッジの粉体供給容器に収容されている粉体が第三の吸引管を経て研削部に至り、この研削部が当てられている皮膚に粉体が当たって皮膚表面の老化した角質等を削り取り、この角質等を削り取った粉体及び削り取られた角質が研削部から第二の吸引管を経て粉体カートリッジの回収容器に至り、この回収容器で気流から分離されて溜められると共に、この回収容器で粉体及び角質が分離された気流が、第一の吸引管を経て真空ポンプから外部に排出されるので、粉体カートリッジを交換するだけで粉体が供給されると共に使用済み粉体及び削り取られた角質が廃棄されることで、メンテナンスを容易に行うことができるばかりでなく、粉体供給容器と回収容器が一体化されていることで、装置全体を比較的小型にすることができる。
【００２８】
また、本発明の請求項２の角質研削美容器によれば、請求項１において、前記粉体供給容器の側面に注入孔を形成し、この注入孔を塞ぐ栓体を設けると共に、前記注入孔が形成された粉体供給容器の側面が前記回収容器と対向するようにして粉体供給容器と回収容器を一体化したものであり、栓体が粉体供給容器と回収容器で挟まれるので、誤って栓体に人或いは物が触れることがないので、注入孔から栓体が不意に外れて粉体がこぼれてしまうことを防止できる。
【００２９】
また、本発明の請求項３の角質研削美容器によれば、請求項２において、前記栓体が、前記回収容器によって粉体供給容器側に押し付けられているものであり、栓体が回収容器で注入孔に押し付けられることによって、粉体供給容器の注入孔が確実に密閉されるので、栓体が注入孔から不意に外れて粉体がこぼれてしまうことをより確実に防止できる。
【００３０】
また、本発明の請求項４の角質研削美容器によれば、請求項１において、前記粉体供給容器の側面に空気孔を形成し、この空気孔を覆うフィルタを設けると共に、前記空気孔が形成された粉体供給容器の側面が前記回収容器と対向するようにして粉体供給容器と回収容器を一体化したものであり、フィルタが粉体供給容器と回収容器で挟まれるので、誤ってフィルタに人或いは物が触れることがないので、フィルタが空気孔から不意に外れて粉体がこぼれてしまうことを防止できる。
【００３１】
更に、本発明の請求項５の角質研削美容器によれば、請求項４において、前記フィルタが、前記回収容器によって粉体供給容器側に押し付けられているものであり、フィルタが回収容器で空気孔に押し付けられることによって、粉体供給容器の空気孔が確実に塞がれるので、フィルタが空気孔から不意に外れて粉体がこぼれてしまうことをより確実に防止することができる。
【図面の簡単な説明】
【図１】
本発明の一実施例を示す角質研削美容器の断面図である。
【図２】
同上角質研削美容器本体の斜視図である。
【図３】
同上角質研削美容器の分解斜視図である。
【図４】
同上粉体カートリッジの分解斜視図である。
【符号の説明】
１ 美容器本体
11 真空ポンプ
12 排気管
13 排気孔
14 第一の吸引管
18 粉体カートリッジ
19 粉体供給容器
20 回収容器
21 注入孔
22 粉体供給管
23 空気孔
24 栓体
25 フィルタ
37 第二の吸引管
38 第三の吸引管
39 研削部